(57)【要約】【課題】  持ち運びが容易で、立ったまま演奏ができ、音程の変更が可能な打楽器を提供することを目的としている。【解決手段】  中空に形成した胴体部５と、音を響かせるために胴体部５に穿設された開口部６，７と、胴体部５の内部に着脱することで音程を変える音程変更手段である容器１２及びアタッチメント２０と、音程変更手段である容器１２及びアタッチメント２０を胴体部の内部へ着脱するために胴体部５を開閉する開閉部８と、を有することを特徴としている。【選択図】図１
2006350060.tif 000002
【特許請求の範囲】
【請求項１】
中空に形成した胴体部と、
音を響かせるために前記胴体部に穿設された開口部と、
前記胴体部の内部に着脱することで音程を変える音程変更手段と、
該音程変更手段を前記胴体部の内部へ着脱するために前記胴体部を開閉する開閉部と、を有することを特徴とする打楽器。
【請求項２】
前記開口部は複数穿設されており、そのうちの少なくとも１つが打面であることを特徴とする請求項１記載の打楽器。
【請求項３】
前記音程変更手段は、前記開口部に着脱可能なアタッチメントであることを特徴とする請求項１又は２に記載の打楽器。
【請求項４】
前記音程変更手段は、前記開閉部の裏面に着脱可能であることを特徴とする請求項１から３のいずれかに記載の打楽器。
【請求項５】
前記音程変更手段は、前記開閉部の裏面に設けられた中空の容器であり、
該容器は蓋を有し、
該蓋を着脱することで音程を変更することが可能であることを特徴とする請求項４記載の打楽器。
【請求項６】
前記胴体部に、ストラップを通すための止め具を有することを特徴とする請求項１から５のいずれかに記載の打楽器。
【発明の詳細な説明】
【技術分野】
【０００１】
本発明は、持ち運びが容易で、立ったまま演奏ができ、音程の変更が可能な打楽器に関する。
【背景技術】
【０００２】
従来から、ウドゥと呼ばれる楽器がある。ウドゥは陶器製の壺であり、側面に１つ又は複数の開口部を有した打楽器である。演奏者は椅子に座る又は床の上等にあぐらをかき、正面にドーナッツ状のクッションを置き、その上にウドゥをのせる。そしてウドゥに設けられた開口部の１つを掌で塞ぐように叩いたり、ウドゥの胴体部を叩くことで音が鳴るようになっている。このように簡単な動作で演奏ができるため、和音や調性といった音楽的な知識が無くても演奏できる。また、ウドゥは様々な形状や大きさがあり、それぞれに音程や音色が違っている。
【発明の開示】
【発明が解決しようとする課題】
【０００３】
しかし、ウドゥは陶器製であるため、運搬時の衝撃等で割れたり破損したりする恐れがある。また、演奏時にはあぐらや椅子に座った状態で使用するため、立った状態での演奏ができず、屋外での演奏には不向きである。
【０００４】
さらに、ウドゥでアンサンブルや合奏を行おうとした場合、１つのウドゥでは音程を変えることができないため、形状や大きさの違うウドゥを複数用意しなければならない。
【０００５】
そこで、本発明は持ち運びが容易で、立ったまま演奏ができ、音程の変更が可能な打楽器を提供することを目的としている。
【課題を解決するための手段】
【０００６】
上記目的を達成するために本発明の打楽器は、中空に形成した胴体部と、音を響かせるために前記胴体部に穿設された開口部と、前記胴体部の内部に着脱することで音程を変える音程変更手段と、該音程変更手段を前記胴体部の内部へ着脱するために前記胴体部を開閉する開閉部と、を有することを特徴としている。
【０００７】
また、前記開口部は複数穿設されており、そのうちの少なくとも１つが打面である構成としたり、前記音程変更手段は、前記開口部に着脱可能なアタッチメントであることとしたり、前記音程変更手段は、前記開閉部の裏面に着脱可能である構成としたり、前記音程変更手段は、前記開閉部の裏面に設けられた中空の容器であり、該容器は蓋を有し、該蓋を着脱することで音程を変更することが可能である構成としたり、前記胴体部に、ストラップを通すための止め具を有する構成とすることもできる。
【発明の効果】
【０００８】
本発明によれば、樹脂を中空に形成した胴体部に設けられた開閉部を開け、胴体部の内部に音程変更手段を取り付けることで、音の高さを広い範囲で変えることが可能となる。また、胴体部が樹脂製であるため、持ち運びが容易である。
【０００９】
胴体部にストラップを通すための止め具を設けることで、ストラップで肩からさげて、立った状態での演奏が可能となる。
【発明を実施するための最良の形態】
【００１０】
次に本発明の打楽器を、図面を基に説明する。図１は本発明の打楽器を示す図であり、（ａ）は上面図、（ｂ）は正面図である。打楽器１は塩化ビニル等の樹脂を円筒形状に形成した物であり、外径が等しい上部２及び底部３と、それらより外径が小さい中央部４とから構成されている。これら上部２、底部３、中央部４を合わせて胴体部５となっている。本実施例では胴体部５は中央部４の外径が上部２及び底部３よりも小さくなっているが、本発明はこのような形態に限定するものではない。例えば、上部２、底部３及び中央部４が同じ外径になったものであってもよい。また、本発明は胴体部５を円筒形に限定するものでもない。
【００１１】
上部２は上端が閉じられており、その上面部分には第１の開口部６が穿設されている。また、上部２の側面部分には第２の開口部７が穿設されている。開口部６及び開口部７は、中空になっている胴体部５の内部につながる円形の孔であり、その周囲にゴム等の弾性体で形成された円形のゴムシート６ａ，７ａが貼り付けられている。演奏時にはいずれか一方の開口部に対して、掌で開口部を塞ぐようにして叩くことで、他方の開口部から音が出る。円形のゴムシート６ａ，７ａを貼り付けてあることで、掌と開口部６，７の間から空気が漏れることがなくなるので、きれいな音が鳴るようになる。また、ゴムシート６ａ，７ａはクッションの役割もあるため、演奏中に掌が痛くなることを防止できる。演奏法としては、開口部６，７を叩く他に、胴体部５や上部２の上面等を叩いてもよく、その場合には開口部６，７から音が出る。
【００１２】
上部２と底部３には止め具１１が取付けられている。止め具１１にストラップ等を取付け肩にかけることで、演奏者は打楽器１を立った状態で演奏できるようになる。この時、胴体部５の表面を梨地状に加工しておくとすべり止めになり、打楽器１が安定して演奏しやすくなる。
【００１３】
底部３の底面には開閉部８が設けられている。開閉部８は底部３に螺合しており、取っ手９を回すことで取り外すことができる。開閉部８を取り外すと、胴体部５の内部へアクセスすることができるようになる。
【００１４】
また、開閉部８の底面部分には４つの足１０が設けられている。これによって打楽器１を床面等に置いた状態での演奏が可能となる。
【００１５】
演奏者は、上記のように打楽器１を床面等に置いた状態で演奏したり、肩にかけて立った状態で演奏する他に、椅子に座った状態で腿に打楽器１をのせて脇に抱えるような姿勢で演奏することも出来る。打楽器１は樹脂で形成されているため、腿のような不安定な場所にのせたとしても、落とした時に破損する可能性は少ない。
【００１６】
図２は開閉部を示す図であり、（ａ）は上面図、（ｂ）は開閉部に設けられた蓋を外した状態の断面図、そして（ｃ）は底面図である。開閉部８の裏面には、音程変更手段である円筒形の容器１２が一体的に設けられている。容器１２の下部には、ねじ山１３が形成されており、底部３と螺合することで開閉部８が胴体部５に固定される。
【００１７】
容器１２は上部に蓋１４を有している。蓋１４は容器１２に螺合しており、上面に設けられた取っ手１５を掴んで回すことで、容器１２から取り外すことが可能となっている。
【００１８】
蓋１４を取付けた状態で開閉部８を底部３に取付けた場合と、蓋１４を外した状態で開閉部８を底部に取付けた場合とでは、容器１２の中空の容積分だけ胴体部５内部の容積が変わり音程が変わる。すなわち、蓋１４を取付けた状態では、胴体部５内部の容積は小さくなるため、高い音がでるようになる。一方、蓋１４を外した状態の場合は、蓋１４を取付けた場合よりも、容器１２の容積分だけ胴体部５の容積が大きくなるため、音は低くなる。このように、容器１２は蓋１４の着脱によって打楽器１の音程を変更することが可能となっている。
【００１９】
蓋１４の上面には、×印１６があり、容器１２の内側には○印１７がある。これらの印は、それぞれの形状のシールを貼り付ける、又は、印刷等の方法によって付けられている。○印１７は容器１２の外側に付けてもよい。
【００２０】
図３は本発明の打楽器の断面図である。中央部４の外径は、上部２及び底部３の内径とほぼ等しく、中央部４の端部が上部２及び底部３に嵌め込まれた状態になっている。本発明の実施例としては、この他に、上部２、底部３及び中央部４を一体的に形成したもの等であってもよい。第２の開口部７には、樹脂等を円筒形に形成した音響管１８が取付けられている。音響管１８は第２の開口部７に取付けた側の端部でほぼ直角に曲げられており、他方の端部が容器１２側に向いている。音響管１８は基本的な音程の調節と低音の余韻を長くするために設けられている。音響管１８によって打楽器１を演奏上の最適サイズで最適の音程に調整することができる。
【００２１】
第１の開口部６には胴体部５の内部に突出した取付部材１９があり、音程変更手段であるアタッチメント２０が取付けられるようになっている。アタッチメント２０は樹脂等で形成された円筒であり、内側に設けられたねじ溝と取付部材１９のねじ山を螺合させることで取り付けられるようになっている。取付部材１９には円筒形の内側にＶ印２１が、シール又は印刷によって設けられている。
【００２２】
図４はアタッチメントの正面図である。アタッチメント２０は、長さの違いにより数種類が用意されている。図４（ａ）は長いアタッチメント２０の例であり、径の違うふ２つの筒を組み合わせたものとなっている。これは、一体的に形成したものであってもよい。図４（ｂ）は短いアタッチメント２０の例である。アタッチメント２０は、長いほど打楽器１が出す音程が低くなり、短いほど高くなる。従って、アタッチメント２０を付けない状態が一番高い音が出ることになる。
【００２３】
図４（ａ）のアタッチメント２０の表面には□印２２があり、短いアタッチメント２０には△印２３がある。これらも、容器１２や蓋１４に設けられた印同様、シール又は印刷によって付けられている。このような印を設けることで、蓋１４を取り外し、アタッチメント２０を取り付けない状態を「○−Ｖ」と表し、蓋１４を付けて長いアタッチメント２０を取付ける状態を「×−□」と言うように、音程を記号で表現することができるようになるため、打楽器１を複数個用いて合奏等をする場合に、演奏者間でのコミュニケーションがとりやすくなる。
【００２４】
ここで、蓋１４に設けられた×印１６は、容器１２に蓋１４が螺合していること、すなわち容器１２が閉じられていることを示しており、容器１２に設けられた○印１７は、蓋１４が取り外されていること、すなわち容器１２が開けられた状態になっていることを意味している。また、取付部材１９及びアタッチメント２０に設けられた印２１，２２，２３はアタッチメント２０が長くなるほど印２１，２２，２３の画数が多くなっている。このようにすることで、印１６，１７，２１，２２，２３の意味が覚えやすくなる。
【００２５】
本発明の打楽器１は、複数あるアタッチメント２０を胴体部５の内部や容器１２に収納することができる。そのため、運搬時の荷物が少なくなり楽である。
【００２６】
なお、本発明は開口部を２つに限定するものではない。開口部を１つにして、胴体部５を叩いて音を出すようなものであってもよいし、開口部を３つ以上設けたものであってもよい。さらに、本発明は、胴体部５を樹脂製に限定するものではない。例えば木製のものであってもよい。
【図面の簡単な説明】
【００２７】
【図１】本発明の打楽器を示す図であり、（ａ）は上面図、（ｂ）は正面図である。
【図２】開閉部を示す図であり、（ａ）は上面図、（ｂ）は開閉部に設けられた蓋を外した状態の断面図、（ｃ）は底面図である。
【図３】本発明の打楽器の断面図である。
【図４】アタッチメントの正面図である。
【符号の説明】
【００２８】
１      打楽器
５      胴体部
６，７  開口部
８      開閉部
１１    止め具
１２    容器
１４    蓋
２０    アタッチメント
【図１】
2006350060.tif 000003
【図２】
2006350060.tif 000004
【図３】
2006350060.tif 000005
【図４】
2006350060.tif 000006